(57)【特許請求の範囲】
【請求項１】
窓枠の内側に障子が配設され、ハンドル操作によって前記障子が窓枠の一側部を回動軸として内開きするとともに前記窓枠の下枠を回動軸として内倒しする障子の多方向開放機構を備え、
前記ハンドルと連動して前記障子の周囲に摺動自在に配設される作動杵が前記多方向開放機構と連動し、該作動杵の第１位置で前記障子を内開きし第２位置で前記障子を内倒し、
前記障子が内開き又は内倒しの開放状態にあるとき、安全装置によって、前記作動杵の摺動を規制して前記ハンドル操作をロックする多方向開放窓において、
前記安全装置は、第１安全装置と第２安全装置とによって構成され、
該第１安全装置には、前記障子側に取付けられた揺動レバーの揺動軸に形成されたリブからなる突状の第１係止部材と、前記作動杵の第１位置に対応させて形成され、前記リブ幅よりも広い幅を有する第１規制部と、前記作動杵の第２位置に対応させて形成され、前記リブ幅よりも広い幅を有する第２規制部と、前記第１規制部及び第２規制部間に前記作動杵の摺動方向に沿って形成された、前記リブ幅とほぼ同一幅を有する通路と、を有し、
前記障子の開放時に揺動レバーが、窓枠がある方向へ当該レバーの先端が突出するように傾斜することによって、前記第１係止部材が第１規制部又は第２規制部にクリアランスをもって遊嵌されるとともに前記第１係止部材のリブが前記作動杵の通路に対して傾斜することによって前記作動杵の摺動を規制し、
該第２安全装置には、前記障子側に取付けられた揺動レバーの揺動軸に形成されたリブからなる突状の第２係止部材と、前記作動杵の第１位置に対応させて形成され、前記リブ幅よりも広い幅を有する第３規制部と、前記作動杵の第２位置に対応させて形成され、前記リブ幅よりも広い幅を有する第４規制部と、前記第３規制部及び第４規制部間に前記作動杵の摺動方向に沿って形成された、前記リブ幅とほぼ同一幅を有する通路と、を有し、
前記障子の開放時に揺動レバーが、窓枠がある方向へ当該レバーの先端が突出するように傾斜することによって、前記第２係止部材が第３規制部又は第４規制部にクリアランスをもって遊嵌されるとともに前記第２係止部材のリブが前記作動杵の通路に対して傾斜することによって前記作動杵の摺動を規制し、
前記第１規制部の前記作動杵の摺動方向に対するクリアランスよりも第３規制部の前記作動杵の摺動方向に対するクリアランスを大きく形成し又は前記第２規制部の前記作動杵の摺動方向に対するクリアランスよりも第４規制部の前記摺動方向に対するクリアランスを大きく形成したことを特徴とする多方向開放窓。
【請求項２】
前記障子の多方向開放機構は、前記前記窓枠の一側上部に設けられ、前記障子を内開き可能にする第１蝶番と、
前記窓枠の他側下部に設けられ、前記障子を内倒し可能にする支承部材と、
前記窓枠の一側下部に設けられ前記蝶番と協働して前記障子を内開き可能にする第２蝶番とともに前記支承部材と協働して前記窓枠を内倒し可能にするヒンジ軸を備えたヒンジ装置とを備え、
前記第１蝶番には受け辺が設けられ、前記支承部材には縦溝が設けられ、
前記作動杵には、当該作動杵の摺動に伴い前記第１蝶番には受け辺と係脱自在に摺動する係合ピンと、当該作動杵の摺動に伴い前記支承部材には縦溝に沿って係脱自在に摺動する係合部材とが取付けられており、
前記ハンドルによって摺動された作動杵の第１位置で、前記係合部材が前記支承部材と非係合状態にされる一方、前記係合ピンが前記第１蝶番と係合し、該第１蝶番と前記ヒンジ装置の第２蝶番によって、前記障子を前記窓枠の一側部を回動軸として内開き可能に開放し、
前記ハンドルによって摺動された作動杵の第２位置で、前記係合ピンが前記第１蝶番と非係合状態にされる一方、前記係合部材が前記支承部材と係合し、該支承部材と前記ヒンジ装置によって、前記障子が窓枠下部を回動軸にして内倒し可能に開放するようにした、請求項１に記載の多方向開放窓。
【発明の詳細な説明】
【技術分野】
【０００１】
本発明は、窓枠の下枠を回動軸として障子を内倒ししたり、窓枠の一側部を回動軸として障子を内開きしたりできる多方向開放窓に関する。
【背景技術】
【０００２】
窓には、内側に配設される障子について、障子の上側が外側に縦開きに回動（図２のＢ参照）するとともに、一側面が横開きに回動（図２のＡ参照）するように構成された内倒し内開き窓（内開き内倒し又は多方向開放窓ともいう）がある。
実公平６−１１３４９号公報に開示された内倒し内開き窓を図９に示す。
図に示すように、窓枠１は上枠２と下枠３と一方の縦枠４と他方の縦枠５とで四角形状に形成されている。窓枠１の内側に配設されている障子７は、上框８と下框９と一方の縦框１０と他方の縦框１１で四角形状枠に形成され、その内部にガラス１２が装着されている。
障子７には作動杵１４が配設され、他方の縦框１１には作動杆１４ａが摺動自在に配設され、上框８に沿って摺動自在な作動杆１４ｂが配設され、一方の縦框１０に沿って摺動自在な作動杆１４ｃが配設され、さらに下框９に沿って摺動自在な作動杆１４ｄが配設されている。
【０００３】
障子７の各コーナー部には、作動杵１４ａと作動杵１４ｂとの間にこれらの部材を連結する連結部材１５ａを取付け、作動杵１４ｂと作動杵１４ｃとの間にこれらの部材を連結する連結部材１５ｂを取付けている。そして、作動杵１４ｃと作動杵１４ｄ（作動杵１４ａ〜１４ｄの全体を作動杵１４とする）の間にこれらの部材を連結する連結部材１５ｃを取付け、作動杵１４と作動杵１４ａの間にこれらの部材を連結する連結部材１５ｄを取付けている。
連結部材１５ａ〜１５ｄは、フレキシブルな帯鋼などで形成されている。すなわち作動杵１４ａ〜１４ｄは、連結部材１５ａ〜１５ｄとともに４角枠を形成し、障子７の外周部に摺動自在に配設されている。
他方の縦框１１にはハンドル１６が回動自在に取付け、作動杆１４ａには、ハンドル１６に固着したピニオンと噛合し、ハンドル１６を回動すると上下に摺動して、四角枠形状の作動杵１４ａの全体が時計回り若しくは反時計周りに回動することができる。
【０００４】
図１０に示すように、窓枠１の一方の縦枠４の上部には、図１１に示す蝶番Ａが取付けられている。蝶番Ａは、一方の縦枠４の上部に取着した固定部材などのブラケット２０ａに縦ピン２０ｂで可動部材、例えば回転体２０ｃを回動自在に連結し、その回転体２０ｃに受け片２０ｄが設けられている。一方の縦框１０に沿って摺動する作動杵１４ｃには、受け片２０ｄと係脱自在なる係合部材、例えば係合ピン１９が固着してある。
蝶番Ａの受け片２０ｄには縦ガイド溝２０ｅが形成され、この縦ガイド溝２０ｅには、前記一方の縦框１０に沿って摺動する作動杵１４ｃに固着した係合部材、例えば係合ピン１９が摺動自在に差し込まれている。縦ガイド溝２０ｅの上部には、室内側に開口した切欠開口部２０ｆが形成され、この切欠開口部２０ｆより係合ピン１９が出没自在となっている。
【０００５】
図１２は、ヒンジ装置Ｂを示す。
ヒンジ装置は、縦枠４に取着した窓枠側部材６０と、縦框１０と下框９とのコーナー部に取着した障子側部材７０とを備え、窓枠側部材６０は取付ブラケット６１に縦軸６２を介して可動片６３を回動自在に支承すると共に、この可動片６３に円柱状の横軸６４を縦軸６２と位置を案内外方向にずらして固着し、その取付ブラケット６１の円弧状端部６１ａをハウジング６５の半円形凹部６６内に嵌合してあり、取付ブラケット６１を縦枠４にビス止めしてある。
障子側部材７０は、縦片７１と横片７２とでＬ型となった本体７３を備え、その横片７２の厚肉部７２ａに下面と一側面とに開口した断面略半円形の凹陥溝７４を形成すると共に、他側面に透孔７５を形成している。その凹陥溝７４に横軸６４を嵌合すると共に、透孔７５より段付のビス７６を横軸６４のビス孔６７に螺入して横軸６４が回転自在なるように連結してある。そして、本体７３を縦框１０と下框９とのコーナー部に亘って配設し、ビス７７を縦框１０と下框９に設けたブロック材（図示せず）に螺合して取付けてある。なお、コーナー連結部材１５ｃにはビス７７が臨む長孔７０ａが形成され、コーナー連結部材１５ｃが摺動できるようにしてある。
【０００６】
図１３は、障子支承部材Ｄを示す。
障子支障部材は、縦枠５にブロック８０をビスで固着し、この受けブロック８０に上端面８０ａと内面８０ｂとに開口した縦溝８２を形成している。この縦溝８２の中間に開口した切欠部８３を開口し、縦框１１と下框９との連結コーナー部に、縦片８４ａと横片８４ｂとでコーナー部８４ｃが円弧状となったＬ型のガイドブロック８４をビス８５で固着している。縦片８４ａには、一対の支持片８６，８６を一体形成して縦ガイド溝８７を形成し、この縦ガイド溝８７に嵌合した縦杆８８の上端を作動杆１４ａに連結している。縦杆８８の下端には、係合部材８９を縦溝８２に沿って摺動自在なるように取付け、コーナー連結部材１５ｄの一端を作動杆１４ａに連結している。そして、ガイドブロック８４のコーナー部８４ｃに沿って下框９側に配設して作動杆１４ｄに連結してある。
【０００７】
図１４に示すように上框４には、アーム４２とレバー５１が設けられている。アーム４２には、長孔４２ａが形成され、レバー５１の他端に固着したピン５３は、アーム４２の長孔４２ａに臨ませてあり、そのレバー５１には係合凹溝５４と係合長溝５５とが長手方向反対方向に開口して形成され、係合凹溝５４は略長円形となって可動杵４８に突設した第１ピン５６と対向し、係合長溝５５は開口端に斜面５５ａを有し、かつ可動杵４８に突設した第２ピン５７と対向している。横材４９の長手方向一端側に形成したガイド長孔４１にアーム４２の先端に取着したピン４３が臨んでいる。
【０００８】
前記安全装置Ｇは、図１５示すように、本体９０と可動体９１と当片９２とを備え、本体９０は縦板９０ａの上下にガイド片９０ｂ，９０ｂを一体成形してガイド溝９３を形成している。縦板９０ａには、長孔９４が形成され、縦板９０ａは、他方の縦框１１に固着されている。可動体９１の上下部には、縁部９１ａ，９１ａがガイド溝９３に摺動自在に嵌合し、かつ一端を縦框１１に係止し、他端を可動体９１の係止孔に配設したバネ９５で摺動付勢している。長孔９４には、これと対向する規制縦溝９６が形成され、規制縦溝９６の室内側には第１、第２、第３凹部９７ａ，９７ｂ，９７ｃが上下に間隔を置いて形成されている。
作動杆１４ａには係合突起９８が固定され、係合突起９８は長孔９４を介して規制縦溝９６内に突出し、障子７を閉じた時には他方の縦枠５に固着した当片９２に可動体９１が当接してバネ９５に抗して室内側に押され係合突起９８が規制縦溝９６に沿って上下に移動できるようになっている。
障子７を開放すると可動体９１が当片９２と離れてバネ９５によって室外側に摺動して係合突起９８が第１、第２、第３凹部９７ａ，９７ｂ，９７ｃのいずれかに嵌合し、これによって作動杆１４ａが移動できないように規制する。
なお、第３凹部９７ａは係合突起９８よりも長くなって係合突起９８が所定ストローク移動できるようにしてある。
【０００９】
次に、窓の作動を説明する。
ハンドル１６が下向きにある障子７を閉じた状態では、図１０に示す第１ピン５６と第２ピン５７は第１位置Ｉとなって第１ピン５６が係合凹溝５４と離れ、第２ピン５７が係合長溝５５内に位置している。安全装置Ｇの係合突起９８は、第１凹部９７ａと対向する第１位置Ｉ、障子支承装置Ｄの係合部材８９は縦溝８２の上部に嵌合した第１位置Ｉ、係合ピン１９は縦ガイド溝２０ｅの下部に嵌合した第１位置Ｉとなっている。
【００１０】
この状態よりハンドル１６を第１位置Ｘまで回転すると作動杆１４ａは下方に摺動してコーナー連結部材１５ａを介して第１作動杆２０を左方に移動し、連動杆２１、第２作動杆２２、可動杵４８が同時に左方に移動して第１、第２ピン５６，５７は第２位置ＩＩに移動する。
これにより係合部材８９は切欠部８３より受けブロック８０の室内側に突出できるようになる。他方、係合ピン１９は縦ガイド溝２０ｅに沿って上方に摺動して切欠開口部２０ｆまで達せずに縦ガイド溝２０ｅに臨む第２位置ＩＩとなり、障子７の一方の縦枠４は係合ピン１９を介して受け片２０ｄに係合保持される。また、係合部材８９は切欠部８３より離脱する。
この状態から、ハンドル１６を持って室内側に引くことで障子７がヒンジ装置Ｂの縦軸６２と蝶番２０の縦ピン２０ｂを介して室内側に回動した内開き状態となる。
【００１１】
この時、安全装置Ｇの係合突起９８は縦溝９６に沿って第２凹部９７ｂと対向する第２位置ＩＩに移動し、障子支承部材Ｄの係合部材８９は縦溝８２の切欠部８３と対向した第２位置ＩＩに移動する。
障子７が回動すると、安全装置Ｇの可動体９１がバネ９５で室外側に押されて係合突起９８に第２凹部９７ｂが嵌合し、作動杆１４ａの移動を規制するのでハンドル１６を回動することができずに、障子７を室内側に回動した状態でハンドル１６を回動して係合ピン１９が移動できないので、誤って係合ピン１９が縦ガイド溝２０ｅより外れたりすることがなく安全である。
つまり、障子７を室内側に回動した状態で係合ピン１９が縦ガイド溝２０ｅより外れると障子７の上部が窓枠１に対してフリーとなって障子７が室内側に外れることがある。
前述の状態より障子７を閉じると安全装置Ｇの可動体９１が当片９２に当接してバネ９５に抗して室内側に押されて係合突起９８が縦溝９６に位置する。
【００１２】
これよりハンドル１６を更に回動すると前述と同様に可動杵４８が左方に移動して第１ピン５６が係合凹溝５４に嵌合する第３位置ＩＩＩ、第２ピン５７が係合長溝５５の斜面５５ａに接する第３位置ＩＩＩとなる。
障子支承部材Ｄの係合部材８９は切欠部８３より外れた第３位置ＩＩＩとなると共に、係合ピン１９は切欠開口部２０ｆに対向する第３位置ＩＩＩとなって一方の縦框１０は窓枠１の一方の縦枠４に対してフリーとなる。これより更にハンドル１６を回動すると第２ピン５７が斜面５５ａを押してレバー５１がピン５２を中心として回動され、かつ第１ピン５６も係合凹溝５４を押して回動される。
これにより、レバー５１を支持している障子７の上框４が室内側に押されて傾倒する。この時第１ピン５６は係合凹溝５４の半円形部分５４ｂに嵌合していると共に、係合ピン１９は切欠開口部２０ｆより室内側に離脱する。
すなわち、障子７はヒンジ装置Ｂの横軸６４の中心軸と障子支承装置Ｄの係合部材８９の中心軸を中心として傾動すると共に、係合ピン１９は切欠開口部２０ｆより室内側に離脱する。
【００１３】
そして更にハンドル１６を回動して可動杵４８を左方に移動すると第１ピン５６がレバー５１をピン５２を中心として更に回動し、レバー５１のピン５３がアーム４２の長孔４２ａに摺動しながら上框４を室内側に順次押して障子７を室内側に所定角度傾倒する。
この時、アーム４２のピン４３は横材４９のガイド長孔４１に沿って摺動すると共に、リンク４４に対して揺動する。
他方、安全装置Ｇの係合突起９８は第３凹部９７ｃの上部に対向する第３位置ＩＩＩとなり、障子７を室内側に傾動した状態では係合突起９８が第３凹部９７ｃに嵌合しているから、係合突起９８は第３凹部９７ｃの範囲内でしか移動できず、ハンドル１６を回動して障子支承装置Ｄの係合部材８９が切欠部８３と対向する第２位置ＩＩまでは移動できないから誤ってハンドル１６を回動しても障子７が外れることがない。
【００１４】
また、障子７を閉じる時にはハンドル１６を反対方向に回動して作動杆１４を上方に移動させる。これにより、可動杵４８とともに第１ピン５６が矢印方向に移動してレバー５１をピン５２を中心として矢印方向に回動し、ピン５３を介してアーム４２を上框４側に回動することになるから上框が窓枠１側に移動して障子７が閉じ動作する。
ハンドル１６を更に回動すると、可動杵４８が右方に移動して第１ピン５６が係合凹溝５４より離れ、第２ピン５７が係合長溝５５内に嵌合する。そして、嵌合する際に障子引き寄せ作用すると共に、第２作動杆２２とともに引き寄せ片５８が右方に移動してアーム４２に設けた引き寄せピン５９に係合した状態となる。
他方、係合ピン１９は、切欠開口部２０ｆより縦ガイド溝２０ｅ内に臨み、その後のハンドル１６の回動によって縦ガイド溝２０ｅに沿って摺動して第１位置Ｉとなると共に、係合部材８９は切欠部８３より縦溝８２内に臨みハンドル１６の回動により第１位置Ｉとなり、係合突起９８は縦溝９６に沿って第１位置Ｉとなる。
【特許文献１】実公平６−１１３４９号公報
【発明の開示】
【発明が解決しようとする課題】
【００１５】
上述したように、多方向開放窓は、内倒し、内開きするように構成され、窓が開放されている状態では、安全装置によって、ハンドルを固定して作動杵を摺動しないようにしている。これは、例えば窓を内開きした状態でハンドルを回すと、例えば、図１１に示す蝶番から係止ピンが外れるおそれがあったり、内倒し状態で、支承部材と係止ピンとが外れるおそれがあったりする。
本発明は、このような安全装置についてさらなる改良を加え、確実に内倒し又は内開き状態を維持することができる多方向開放窓を提供することにある。
【課題を解決するための手段】
【００１６】
上記課題を解決するために本発明の多方向開放窓は、窓枠の内側に障子が配設され、ハンドル操作によって前記障子が窓枠の一側部を回動軸として内開きするとともに前記窓枠の下枠を回動軸として内倒しする障子の多方向開放機構を備え、
前記ハンドルと連動して前記障子の周囲に摺動自在に配設される作動杵が前記多方向開放機構と連動し、該作動杵の第１位置で前記障子を内開きし第２位置で前記障子を内倒し、
前記障子が内開き又は内倒しの開放状態にあるとき、安全装置によって、前記作動杵の摺動を規制して前記ハンドル操作をロックする多方向開放窓において、
前記安全装置は、第１の安全装置と第２の安全装置とによって構成され、
該第１安全装置には、前記障子側に取付けられた揺動レバーの揺動軸に形成されたリブからなる突状の第１係止部材と、前記作動杵の第１位置に対応させて形成され、前記リブ幅よりも広い幅を有する第１規制部と、前記作動杵の第２位置に対応させて形成され、前記リブ幅よりも広い幅を有する第２規制部と、前記第１規制部及び第２規制部間に前記作動杵の摺動方向に沿って形成された、前記リブ幅とほぼ同一幅を有する通路と、を有し、
前記障子の開放時に揺動レバーが、窓枠がある方向へ当該レバーの先端が突出するように傾斜することによって、前記第１係止部材が第１規制部又は第２規制部にクリアランスをもって遊嵌されるとともに前記第１係止部材のリブが前記作動杵の通路に対して傾斜することによって前記作動杵の摺動を規制し、
該第２安全装置には、前記障子側に取付けられた揺動レバーの揺動軸に形成されたリブからなる突状の第２係止部材と、前記作動杵の第１位置に対応させて形成され、前記リブ幅よりも広い幅を有する第３規制部と、前記作動杵の第２位置に対応させて形成され、前記リブ幅よりも広い幅を有する第４規制部と、前記第３規制部及び第４規制部間に前記作動杵の摺動方向に沿って形成された、前記リブ幅とほぼ同一幅を有する通路と、を有し、
前記障子の開放時に揺動レバーが、窓枠がある方向へ当該レバーの先端が突出するように傾斜することによって、前記第２係止部材が第３規制部又は第４規制部にクリアランスをもって遊嵌されるとともに前記第２係止部材のリブが前記作動杵の通路に対して傾斜することによって前記作動杵の摺動を規制し、
前記第１規制部の前記作動杵の摺動方向に対するクリアランスよりも第３規制部の前記作動杵の摺動方向に対するクリアランスを大きく形成し又は前記第２規制部の前記作動杵の摺動方向に対するクリアランスよりも第４規制部の前記摺動方向に対するクリアランスを大きく形成した。
上記多方向開放窓は、前記障子の多方向開放機構は、前記前記窓枠の一側上部に設けられ、前記障子を内開き可能にする第１蝶番と、
前記窓枠の他側下部に設けられ、前記障子を内倒し可能にする支承部材と、
前記窓枠の一側下部に設けられ前記蝶番と協働して前記障子を内開き可能にする第２蝶番とともに前記支承部材と協働して前記窓枠を内倒し可能にするヒンジ軸を備えたヒンジ装置とを備え、
前記第１蝶番には受け辺が設けられ、前記支承部材には縦溝が設けられ、
前記作動杵には、当該作動杵の摺動に伴い前記第１蝶番には受け辺と係脱自在に摺動する係合ピンと、当該作動杵の摺動に伴い前記支承部材には縦溝に沿って係脱自在に摺動する係合部材とが取付けられており、
前記ハンドルによって摺動された作動杵の第１位置で、前記係合部材が前記支承部材と非係合状態にされる一方、前記係合ピンが前記第１蝶番と係合し、該第１蝶番と前記ヒンジ装置の第２蝶番によって、前記障子を前記窓枠の一側部を回動軸として内開き可能に開放し、
前記ハンドルによって摺動された作動杵の第２位置で、前記係合ピンが前記第１蝶番と非係合状態にされる一方、前記係合部材が前記支承部材と係合し、該支承部材と前記ヒンジ装置によって、前記障子が窓枠下部を回動軸にして内倒し可能に開放することができる。
【発明の効果】
【００１７】
本願発明の多方向開放窓は、窓枠の内側に障子が配設され、ハンドル操作によって前記障子が窓枠の一側部を回動軸として内開きするとともに前記窓枠の下枠を回動軸として内倒しする障子の多方向開放機構を備え、 前記ハンドルと連動して前記障子の周囲に摺動自在に配設される作動杵が前記多方向開放機構と連動し、該作動杵の第１位置で前記障子を内開きし第２位置で前記障子を内倒しし、 前記障子が内開き又は内倒しの開放状態にあるとき、安全装置によって、前記作動杵の摺動を規制して前記ハンドル操作をロックする多方向開放窓において、 前記安全装置は、第１の安全装置と第２の安全装置とによって構成され、 該第１安全装置には、前記障子側に取付けられた揺動レバーの揺動軸に形成されたリブからなる突状の第１係止部材と、前記作動杵の第１位置に対応させて形成され、前記リブ幅よりも広い幅を有する第１規制部と、前記作動杵の第２位置に対応させて形成され、前記リブ幅よりも広い幅を有する第２規制部と、前記第１規制部及び第２規制部間に前記作動杵の摺動方向に沿って形成された、前記リブ幅とほぼ同一幅を有する通路と、を有し、 前記障子の開放時に揺動レバーが、窓枠がある方向へ当該レバーの先端が突出するように傾斜することによって、前記第１係止部材が第１規制部又は第２規制部にクリアランスをもって遊嵌されるとともに前記第１係止部材のリブが前記作動杵の通路に対して傾斜することによって前記作動杵の摺動を規制し、 該第２安全装置には、前記障子側に取付けられた揺動レバーの揺動軸に形成されたリブからなる突状の第２係止部材と、前記作動杵の第１位置に対応させて形成され、前記リブ幅よりも広い幅を有する第３規制部と、前記作動杵の第２位置に対応させて形成され、前記リブ幅よりも広い幅を有する第４規制部と、前記第３規制部及び第４規制部間に前記作動杵の摺動方向に沿って形成された、前記リブ幅とほぼ同一幅を有する通路と、を有し、 前記障子の開放時に揺動レバーが、窓枠がある方向へ当該レバーの先端が突出するように傾斜することによって、前記第２係止部材が第３規制部又は第４規制部にクリアランスをもって遊嵌されるとともに前記第２係止部材のリブが前記作動杵の通路に対して傾斜することによって前記作動杵の摺動を規制し、 前記第１規制部の前記作動杵の摺動方向に対するクリアランスよりも第３規制部の前記作動杵の摺動方向に対するクリアランスを大きく形成し又は前記第２規制部の前記作動杵の摺動方向に対するクリアランスよりも第４規制部の前記摺動方向に対するクリアランスを大きく形成したので、障子が開状態にあるとき、安全装置がより確実にハンドル操作をロックすることができる。第１安全装置の第１係止部材に誤作動があっても、それよりも広い範囲で作動する第２安全装置の第２係止部材が規制部に規制されて、障子の内倒し内開き状態を防止できる。また、クリアランスをおおきくとるだけなので、容易に実施が可能である。
【発明を実施するための最良の形態】
【００１８】
以下、本発明の実施の形態による多方向開放窓について、図面を参照しながら説明する。なお、多方向開放窓に機構については、ハンドルの向き、操作などの相違はあるが、基本的に従来例と同じであるので、その詳細な説明を省略する。また、従来例による多方向窓と同一部材については同一の符号を付して説明する。
図１は、本発明に係わる多方向開放窓を示し、多方向開放窓の窓枠１は、上枠２と下枠３と一方の縦枠４と他方の縦枠５とで四角形状に形成されている。窓枠１の内側に配設されている障子７は、上框８と下框９と一方の縦框１０と他方の縦框１１で四角形状枠に形成され、その内部にガラス１２が装着されている。障子７の周囲には、作動杵１４が摺動自在に配設されている。
【００１９】
障子７の一側部における中間位置には、作動杵のラック部と噛合するピニオンギヤ（図示せず）が取付けられたハンドル１６が取付けられている。ハンドル１６の回転方向に沿って、作動杵１４が摺動する。
図２は、ハンドル１６の位置と障子の作動状態を示す。
図２のＡは、ハンドル１６を上方に向けた状態であり、下枠３を回動軸として障子７を内倒しにでき、作動杵１４の摺動位置は第１位置を示す。図２のＢは、ハンドル１６を横に向けた状態であり、障子７を内開きにでき、作動杵１４の摺動位置は第２位置を示す。図２のＣは、障子７がハンドル１６を下方に向けた状態であり、窓の施錠状態である。
【００２０】
図３は本発明の第１安全装置Ｊであり、図３のＡは障子７の外周部から安全装置Ｊを見た平面図、図３のＢは障子７の内側から安全装置Ｊを見た背面図、図３のＣは障子７の側面から見た側面図である。
安全装置Ｊは、障子７の縦框１１に固定した表面板２１を設け、縦框５と表面板２１との間に作動杵１４が摺動可能に配設されている。
表面板２１の表面側には、揺動レバーとしてのトリガー２２が揺動軸２３を中心に回動可能に取付けられている。トリガー２２の揺動軸２３の裏側にはリブ２３ａが形成されている。
【００２１】
図３のＢに示すように、作動杵１４には、トリガー２２のリブ２３ａが移動できる長孔通路２５を形成し、下部に第１規制孔２６を形成し、その上にある下通路２５ａを挟んで第２規制孔２７を形成し、さらにその上側には上通路２５ｂを挟んで長孔２８を形成している。通路２５ａ，２５ｂの幅は、ほぼトリガー２２のリブ２３ａ幅と一致させ、リブ２３ａが通過できる程度の幅に形成されている。第１規制孔２６、第２規制孔２７及び長孔２８の幅は、トリガー２２のリブ２３ａが傾斜して、リブ２３ａの両端部が各孔２６〜２８の側縁部に当接する大きさに形成されている。第１規制孔２６及び第２規制孔２７の長さ（作動杵１４の摺動方向）は、多少の遊び（クリアランス）を有するように形成されている。クリアランスが必要なのは、ハンドル１６の角度を丁度、例えば、障子７が内開き状態にあるときは、ほぼ正確にハンドル１６を９０度位置に合わせなければ、トリガー２３がスムースに動かないからである。
【００２２】
トリガー２２は、障子７の開状態で、図示しないスプリングバネで、反時計周りへ回動する方向へバネ力が付加され、図３のＡに示すように、窓枠１の縦枠５がある方向へ、先端側が突出する。そして、トリガー２２は、第１規制孔２６，第２規制孔２７及び長孔２８のいずれかの側縁部に当接して回転が阻止されて、図３のＡに示す位置で静止する。したがって、図示の位置では、トリガー２２は矢印ａに示す方向へ回動が可能となる。
トリガー２２は、障子７が閉じ状態になると、窓枠１の縦枠５に当たり、図４のＡに示す縦框１１が延びる垂直方向に向いて、縦框１１と重なるようにして静止する。
【００２３】
リブ２３ａと、第１規制孔２６，第２規制孔２７及び長孔２８の位置関係を説明すると、
図２のＡに示すように、ハンドル１６を障子７の内倒し位置にすると、作動杵１４が下側に移動し、リブ２３ａが第１規制孔２６に収容される。図２のＢに示すように、ハンドル１６を障子７の内開き位置にすると、作動杵１４が図２のＡの位置よりも上側に摺動し、リブ２３ａが第２規制孔２７に収容される。図２のＣに示すように、ハンドル１６を障子７の閉じ状態位置にすると、作動杵１４がさらに上側に移動し、リブ２３ａが長孔２８に収容される。リブ２３ａが第１規制孔２６に収容された状態では、障子７の内倒しができ、リブ２３ａが第２規制孔２７に収容されて状態では、障子７の内開きができる。リブ２３ａが長孔２８に収容されて状態は、障子７の施錠状態である。
【００２４】
障子７が内開き状態であるときは、図３のＡに示すように、トリガー２２は傾斜した状態であるので、一体的に形成されたリブ２３ａが、第２規制孔２７で傾斜した状態となり、リブ２３ａ幅とほぼ同幅の通路２５ａ，２５ｂを通ることができず、第２規制孔２７の角部にリブ２３ａの端部が当接して摺動規制される。したがって、障子７の内開き状態では、リブ２３ａによって、作動杵１４の摺動が規制され、ハンドル１６を上方へ回転させようとしても、回転が阻止される。よって、障子７の内開き状態から図１１に示す蝶番Ａから係止ピン１９の係合が解除されるのを防止している。
【００２５】
同様に、障子７が内倒し状態であるときは、トリガー２２のリブ２３ａが、図２のＡに示すように、第１規制孔２６で傾斜した状態であるので、リブ２３ａが通路２５ａを通ることができず、第１規制孔２６の角部にリブ２３ａの端部が当接して移動規制される。したがって、障子７の内倒し状態では、リブ２３ａによって、作動杵１４の摺動が規制され、ハンドル１６を回転させようとしても、回転が阻止される。よって、障子７の内倒し状態から、図１３に示す支承装置Ｄと係止ピン８９の係合が解除されるのを防止している。
【００２６】
図５は、ハンドル１６の操作位置と操作状態を示す図である。
多方向開放窓は機構上、ハンドル１６を横向き（９０度位置）にした状態の内開き可能範囲ｅを有し、ハンドル１６を上向きにした内倒し可能範囲ｄを有する。そして、第１安全装置Ｊが正常に作動しているときのハンドルロック範囲ｆは、内倒し可能範囲ｄと内開き可能範囲ｅが一部重なっている。
障子７を閉めた状態ではトリガー２２が作動しないので、ハンドル１６を自由に回転させることができる。障子７を閉めたままハンドル１６を内倒しにした状態で、トリガー２２によるハンドルロックがかかることなく、通路２５ａにリブ２３ａが微妙に引っ掛かったまま（図５の領域Ｃの範囲）、障子７を内開き、この状態からハンドル１６を上向きにして障子７を内倒しにすると、蝶番Ａから係止ピン１９が外れて内倒し、内開き状態になって、ヒンジ装置（図１２参照）の一点支持状態になってしまうおそれがある。
【００２７】
そこで、本実施の形態では、第１安全装置Ｊとともに第２安全装置Ｋにトリガー２２（第１安全装置のトリガーと同じ符号を付す）を設け、障子の上框８に取付けている。
図７のＢに示すように、第２安全装置Ｋは、第１安全装置Ｊと同じ形状のトリガー２２を上框７に取付けている。すなわち、障子７の上框８に固定した表面板３１を設け、上框８と表面板３１との間に作動杵１４が摺動可能に配設されている。
表面板３１の表面側には、トリガー２２が揺動軸２３を中心に回動可能に取付けられている。トリガー２２の揺動軸２３の裏側にはリブ２３ａが形成されている。
【００２８】
図７のＢに示すように、作動杵１４には、トリガー２２のリブ２３ａが移動できる長孔通路３５を形成し、下部に第３規制孔３６を形成し、その上にある下通路３５ａを挟んで第４規制孔３７を形成し、さらにその上側には上通路３５ｂを挟んで長孔３８を形成している。通路３５ａ，３５ｂの幅は、ほぼトリガー２２のリブ２３ａ幅と一致させ、リブ２３ａが通過できる程度の幅に形成されている。第３規制孔３６、第４規制孔３７及び長孔３８の幅は、トリガー２２のリブ２３ａが傾斜して、リブ２３ａの両端部が各孔３６〜３８の側縁部に当接する大きさに形成されている。第３規制孔３６は、第１安全装置Ｊのリブ２３ａが第１規制孔２６に収容された状態で、第２安全装置Ｋのリブ２３ａを収容し、第４規制孔３７は、第１安全装置Ｊのリブ２３ａが第２規制孔２７に収容された状態で、第２安全装置Ｋのリブ２３ａを収容する。
【００２９】
図７のＡに示す第１安全装置Ｊと図８のＢに示す安全装置Ｋのクリアランスについて説明すると、第１安全装置Ｊのリブ２３ａの収容部である第１規制孔２６及び第２規制孔２７の大きさは、トリガー２２がスムースに揺動できるように設定する一方、第１規制孔２６及び第２規制孔２７の大きさは遊びを少なくすることが好ましい。ハンドル１６の遊び量を大きくなるのを防止するととともに、内開き内倒し機構の切り替え範囲が狭くなるからである。
そのため、第１安全装置Ｊでは、第１規制孔２６及び第２規制孔２７のクリアランスを最小限にしている。図７のＡに示すように第２規制孔２６を例にあげると、第２規制孔２７のストロークＬ１に対して、図７のＢに示すように、それに対応する第４規制孔３７のストロークＬ２を第１規制孔２６の両端よりも外側へ延ばすようにして広く形成している。
【００３０】
これを図８にて説明すると、障子７を閉めた状態では第１及び第２安全装置Ｊ，Ｋの各トリガー２２が作動しないので、ハンドル１６を自由に回転させることができる。障子７を閉めたままハンドル１６を内開きにした状態で、第１安全装置Ｊトリガー２２によるハンドルロックがかかることなく、図７のＡに示すように、通路２５ａにリブ２３ａが微妙に引っ掛かったまま障子７を内開きし、この状態からハンドル１６を上向きにして障子７を内倒しにすると、第１安全装置Ｊのトリガー２２が１つでは、図１１に示す蝶番Ａから係止ピン１９が外れて内倒し、内開き状態になって、ヒンジ装置の一点支持状態になってしまうおそれがある。しかしながら、第２安全装置Ｋにトリガー２２を設け、第４規制孔３７のストロークを大きくしたので、通路２５ａに第１安全装置Ｊのリブ２３ａが微妙に引っ掛かった状態では、第２安全装置Ｋのトリガー２２のリブ２３ａが通路３５ａに引っ掛かることなく、トリガー２２は傾斜状態にある。したがって、ハンドル１６を回転させても図８に示すハンドルロック範囲ｇまでハンドル１６を回転させると、第２安全装置Ｋのリブ２３ａによって作動杵１４の摺動が規制されて、障子７が内開きされた状態であっても、ハンドル１６が回転することなく、内倒し状態になることがない。
なお、図１に示す第１安全装置Ｊの取付箇所は、上框８のほぼ中間部に取付け、第２安全装置Ｋの取付箇所は、縦框１１のほぼ中間部に取付けているが、回転軸からできるだけ離して取付けたほうが好ましい。すなわち、第１安全装置Ｊであれば、内開き状態の障子７の回転軸となる縦枠４から離し（縦枠５側に近づける）、第２安全装置Ｋであれば、内倒し状態の障子７の回転軸となる下枠３から離した位置（上枠２側に近づける）に配置することが好ましい。
【００３１】
これについては、障子の内倒し状態から内開き状態に移行するときも同様に、リブ２３ａが第１規制孔２６から通路２５ａに僅かに入り込んだ状態で、障子７を内倒ししたまま、ハンドル１６を内開き状態に回動しても、ハンドル１６をハンドルロック範囲ｇで回転したときに、第２安全装置Ｋのリブ２３ａが第４規制孔３６に規制されて、内倒し状態から、内開き内開き状態となることを防止できる。
このように、本実施の形態については、安全装置を２個設けることによって、基準となる第１安全装置Ｊの規制孔２６，２７に対して第２安全装置Ｋの規制孔３６，３７のストロークを変更することによって、障子７の内開き内倒し状態及び内倒し内開き状態になるのを防止することができる。
【００３２】
以上、本発明の実施の形態について説明したが、本発明の技術的思想に基づいて、勿論、本発明は種々の変形又は変更が可能である。
例えば、上記実施の形態では、図２に示すようにハンドル１６を横向きにすると、内開きとなり、ハンドル１６を上向きにすると内倒しになる障子７を例としたが、ハンドルを横向きにすると内倒しとなり、ハンドルを上向きにすると内開きになる内倒し内開き機構を有する障子にも適用が可能である。
例えば、上記実施の形態では、第２安全装置Ｋを上框８に配設したが、第１安全装置Ｊと同様に縦框１１に配設してもよい。
また、本発明は、従来例の図１５に示すタイプの安全装置Ｇについても適用可能であり、上記実施の形態と同様に、障子７が内倒し内開きになるおそれがあり、係止ピン９８に対するクリアランスの異なる複数の安全装置を取付けることで、本願発明と同様の効果がある。
【図面の簡単な説明】
【００３３】
【図１】本発明の実施の形態の多方向開放窓を室内側から見た正面図である。
【図２】図１の多方向開放窓動作説明をするための図であって、Ａは、障子が内倒し状態にあるときの障子各部の概略図、Ｂは障子が内開き状態にあるときの障子各部の概略図、Ｃは、障子が閉じ状態にあるときの障子各部の概略図である。
【図３】図１の障子の開状態における安全装置を示す図であって、Ａは安全装置を障子の側面外側から見た側面図、Ｂは安全装置を障子の側面内側から見た側面図、Ｃは安全装置を障子の正面から見た正面図である。
【図４】図１の障子の閉じ状態における安全装置を示す図であって、Ａは安全装置を障子の側面外側から見た側面図、Ｂは安全装置を障子の側面内側から見た側面図である。
【図５】図１に示す障子の第１安全装置を踏まえたハンドル動作を説明するためのハンドルの正面図である。
【図６】図１に示す障子の第１安全装置の長孔通路の側面図である。
【図７】Ａは、図１に示す障子の第１安全装置の第２規制孔のストロークを示す側面図、Ｂは図１に示す障子の第２安全装置の第４規制孔のストロークを示す側面図である。
【図８】図１に示す障子の第１及び第２安全装置を踏まえたハンドル動作を説明するためのハンドルの正面図である。
【図９】従来の内倒し内開き窓の正面図である。
【図１０】図９の障子の操作系統の概略斜視図である。
【図１１】図９の障子の蝶番の斜視図である。
【図１２】図９のヒンジ装置の斜視図である。
【図１３】図９の支承部材の斜視図である。
【図１４】図９のリンク機構の斜視図である。
【図１５】図９の安全装置の斜視図である。
【符号の説明】
【００３４】
１  窓枠
７  障子
１４  作動杵
１６  ハンドル
２２  トリガー
２３  揺動軸
２３ａ  リブ
２５，３５  長孔通路
２６  第１規制孔
２７  第２規制孔
３６  第３規制孔
３７  第４規制孔
Ｊ  第１安全装置
Ｋ  第２安全装置
【図１】
0004772524.tif 000002
【図２】
0004772524.tif 000003
【図３】
0004772524.tif 000004
【図４】
0004772524.tif 000005
【図５】
0004772524.tif 000006
【図６】
0004772524.tif 000007
【図７】
0004772524.tif 000008
【図８】
0004772524.tif 000009
【図９】
0004772524.tif 000010
【図１０】
0004772524.tif 000011
【図１１】
0004772524.tif 000012
【図１２】
0004772524.tif 000013
【図１３】
0004772524.tif 000014
【図１４】
0004772524.tif 000015
【図１５】
0004772524.tif 000016